(57)【要約】  【課題】  小型化が図られ、メンテナンスを容易に行うことが可能な空調換気装置を提供する。  【解決手段】  空調換気装置１は、室内の壁面に取り付けられる本体ケース２と、本体ケース２から後方に延びて壁Ｗを貫通する貫通孔Ｈに挿入される筒状部３とを備える。筒状部３内には、仕切り板１１を隔てて隣接する給気通風路６及び排気通風路７と、室内側に流通する気流を給気通風路６に発生する第１送風ユニット１２と、室外側に流通する気流を排気通風路７に発生する第２送風ユニット１３とが備えられた送風部１０が収められる。筒状部３が壁Ｗの貫通孔Ｈに挿入されるとともに本体ケース２のみが室内に取り付けられるので、空調換気装置１の小型化を図ることができる。送風部１０は仕切り板１１とともに移動可能であるので、筒状部３に対して容易に出し入れすることが可能である。【選択図】      図２
2006162083.tif 000002
【特許請求の範囲】
【請求項１】
室内の壁面に取り付けられる本体ケースと、この本体ケースから後方に延びて壁の室内側と室外側とを貫通する貫通孔に挿入される筒状部と、この筒状部内を仕切る仕切り板を隔てて筒状部内に隣接して設けられる給気通風路及び排気通風路と、この給気通風路に設けられ、吸込み側が前記筒状部の外周側を向いた第１シロッコファン及びこの第１シロッコファンを駆動する第１駆動モータと、前記排気通風路に設けられ、吸込み側が前記筒状部の外周側を向いた第２シロッコファン及びこの第２シロッコファンを駆動する第２駆動モータと、前記本体ケース内に設けられ、給気通風路を流通する空気と排気通風路を流通する空気との間で熱交換を行う熱交換部とを備えたことを特徴とする空調換気装置。
【請求項２】
前記第１シロッコファン及び第１駆動モータは前記筒状部内の室外側に、前記第２シロッコファン及び第２駆動モータは筒状部内の室内側に設けられることを特徴とする請求項１に記載の空調換気装置。
【請求項３】
前記仕切り板の両面にそれぞれ前記第１シロッコファン及び第１駆動モータと前記第２シロッコファン及び第２駆動モータとを取り付けて送風部を構成し、この送風部は、仕切り板とともに移動可能であることを特徴とする請求項１または請求項２に記載の空調換気装置。
【請求項４】
前記仕切り板に嵌合して仕切り板を案内する案内溝を、前記筒状部の内壁に設けたことを特徴とする請求項１〜請求項３のいずれか１項に記載の空調換気装置。
【請求項５】
前記熱交換部から室内に送り込まれる空気中にイオンを発生するイオン発生装置を設けたことを特徴とする請求項１〜請求項４のいずれか１項に記載の空調換気装置。
【請求項６】
前記イオン発生装置は、前記本体ケースに取り付けられることを特徴とする請求項５に記載の空調換気装置。
【請求項７】
前記イオン発生装置は、マイナスイオンを発生するモード、或いはマイナスイオン及びプラスイオンを発生するモードを有することを特徴とする請求項５または請求項６に記載の空調換気装置。
【発明の詳細な説明】
【技術分野】
【０００１】
本発明は、室内の空気と室外の空気との間で熱交換して、室内の空気を換気する空調換気装置に関する。
【背景技術】
【０００２】
従来の空調換気装置については、その一例を特許文献１に見ることができる。特許文献１に記載の同時吸排形換気扇（空調換気装置）は、室内の壁面に取り付けられるケーシング（本体ケース）と、このケーシングから後方に延びて壁に設けられた貫通孔に挿入される吸・排気ダクトとを備えている。ケーシング内には、隣接する通路が直交する直交形の熱交換器と、吸気ファン及び排気ファンを有する送風部とを備えている。ケーシング及び吸・排気ダクト内には、吸気ファンにより空気が流通する吸気通路と、排気ファンにより空気が流通する排気通路とが、隔壁を介して併設されている。熱交換器の一方の通路は吸気通路に、他方の通路は排気通路に連通している。
【０００３】
上記同時吸排形換気扇（空調換気装置）の運転を開始すると、吸気ファン及び排気ファンが駆動される。吸気ファンの駆動により、室外の空気が吸気通路に取り込まれて熱交換器の一方の通路を流通する。排気ファンの駆動により、室内の空気が熱交換器の他方の通路を流通する。この時、熱交換器により、室内から取り込まれた空気と室外から取り込まれた空気との間で熱交換される。室内の空気の熱を受け取った室外の空気は室内に放出され、室外の空気に熱を与えた室内の空気は排気通路を流通して室外に排気される。このようにして、室内から排出される熱量を抑制しつつ室内の換気を行うことができる。
【０００４】
特許文献１に記載の同時吸排形換気扇は、室内に取り付けられるケーシング（本体ケース）内に熱交換器及び送風部が設けられるため、ケーシングが大型化して室内の美観を損ねるともに、家具や他の室内設備等を配置する上で邪魔になる可能性がある。また、吸気ファン及び排気ファンが室内に配置されることになるので、室内の騒音が大きくなる。このような問題を解決すべく、熱交換器及び送風部を壁内に配置した空調換気装置が提案され、その一例を特許文献２に見ることができる。
【０００５】
特許文献２に記載の熱交換形換気扇（空調換気装置）は、壁に設けられた貫通孔に挿入される円筒状の枠体（筒状部）を備え、この円筒状の枠体内の室外側に送風部が、室内側に熱交換器が配置されている。室内には、給排気用の開口を備えて枠体の室内側開口を覆う奥行きの狭い化粧カバーが設けられている。円筒状の枠体内には内筒が備えられ、この内筒を隔てて内側に給気通風路が、外側に排気通風路が設けられている。送風部には、円筒状の枠体及び内筒の軸線にその軸線を一致させる形で発動機（駆動モータ）が配置されている。発動機の回転軸には、その内周側に給気ファンが、外周側に排気ファンが取り付けられている。給気ファンと排気ファンとの間には、内筒の後端と同径の仕切り筒が内筒の後端に近接して設けられている。これらの給気ファン、排気ファン、及び仕切り筒は、一体として構成されている。
【０００６】
上記熱交換形換気扇（空調換気装置）の運転を開始すると、給気ファン、排気ファン、及び仕切り筒が一体回転し、仕切り筒及び内筒の内側に室外から室内に向かう気流が発生するとともに、仕切り筒及び内筒の外側に室内から室外に向かう気流が発生する。そして、室内に取り込まれる空気と室外に排出される空気との間で熱交換され、室内の空気の換気が行われる。
【０００７】
したがって、室内には奥行きの狭い化粧カバーが設けられるだけであるために室内の美観が向上するとともに、送風部を室内から離して配置することで騒音を低減できるようになっている。
【特許文献１】実公平６−３３２３号公報（第２−３頁、第１図）
【特許文献２】特開平７−１５８９２２号公報（第２−６頁、第１図）
【発明の開示】
【発明が解決しようとする課題】
【０００８】
しかしながら、上記特許文献２に記載された熱交換形換気扇（空調換気装置）によると、円筒状の枠体内に固定される内筒の後方に、給気ファン、排気ファン、及び仕切り筒が駆動モータと一体に設けられているので、給気ファン、排気ファン、及び駆動モータの清掃や修理等のメンテナンスができない問題があった。また、給気通風路と排気通風路とが円筒状の枠体の内周側と外周側に設けられるため枠体の外径が大きくなり、熱交換形換気扇が大型になる問題もあった。
【０００９】
本発明は、小型化が図られ、メンテナンスを容易に行うことが可能な空調換気装置を提供することを目的とする。
【課題を解決するための手段】
【００１０】
上記の課題を解決するため、本発明では空調換気装置を次のように構成する。
【００１１】
（１）室内の壁面に取り付けられる本体ケースと、この本体ケースから後方に延びて壁の室内側と室外側とを貫通する貫通孔に挿入される筒状部と、この筒状部内を仕切る仕切り板を隔てて筒状部内に隣接して設けられる給気通風路及び排気通風路と、この給気通風路に設けられ、吸込み側が前記筒状部の外周側を向いた第１シロッコファン及びこの第１シロッコファンを駆動する第１駆動モータと、前記排気通風路に設けられ、吸込み側が前記筒状部の外周側を向いた第２シロッコファン及びこの第２シロッコファンを駆動する第２駆動モータと、前記本体ケース内に設けられ、給気通風路を流通する空気と排気通風路を流通する空気との間で熱交換を行う熱交換部とを備えることとした。
【００１２】
この構成によると、給気用の第１シロッコファンと排気用の第２シロッコファンとが収められた筒状部が壁に設けられた貫通孔に挿入され、本体ケースのみが室内に取り付けられる。第１シロッコファンを駆動すると、室外の空気が回転軸方向から吸い込まれて周方向に送り出され、給気通風路に気流が発生する。第２シロッコファンを駆動すると、室内の空気が回転軸方向から吸い込まれて周方向に送り出され、排気通風路に気流が発生する。これにより、室内の空気は熱交換部に取り込まれて排気通風路を通して室外に排気され、室外の空気は給気通風路を通して熱交換部に取り込まれて室内に送り込まれる。熱交換部では、それぞれの空気が熱交換し、室内から排気される空気の熱が室内に送り込まれる空気に伝達される。その結果、室内から排出される熱量を抑制して室内の換気を行うことができる。
【００１３】
（２）前記構成の空調換気装置において、前記第１シロッコファン及び第１駆動モータは前記筒状部内の室外側に、前記第２シロッコファン及び第２駆動モータは筒状部内の室内側に設けられることとした。
【００１４】
この構成によると、給気用の第１シロッコファンは新鮮な空気が流通する室外に近い位置に配置され、排気用の第２シロッコファンは換気を必要とする室内に近い位置に配置されることになる。
【００１５】
（３）前記構成の空調換気装置において、前記仕切り板の両面にそれぞれ前記第１シロッコファン及び第１駆動モータと前記第２シロッコファン及び第２駆動モータとを取り付けて送風部を構成し、この送風部は、仕切り板とともに移動可能であることとした。
【００１６】
この構成によると、仕切り板と、第１シロッコファン及び第１駆動モータと、第２シロッコファン及び第２駆動モータとで構成される送風部を、筒状部に対してスライドして出し入れすることができる。
【００１７】
（４）前記構成の空調換気装置において、前記仕切り板に嵌合して仕切り板を案内する案内溝を、前記筒状部の内壁に設けることとした。
【００１８】
この構成によると、案内溝の案内により仕切り板がスライド移動する。また、送風部は、筒状部の周方向に位置がずれることがない。
【００１９】
（５）前記構成の空調換気装置において、前記熱交換部から室内に送り込まれる空気中にイオンを発生するイオン発生装置を設けることとした。
【００２０】
この構成によると、イオン発生装置により発生したイオンが、熱交換された室外の空気とともに室内に送り出される。
【００２１】
（６）前記構成のイオン発生装置を設けた空調換気装置において、前記イオン発生装置は、前記本体ケースに取り付けられることとした。
【００２２】
この構成によると、本体ケースが室内の壁面に取り付けられ、本体ケースに取り付けられたイオン発生装置により発生したイオンが、熱交換部を流通した空気に含まれることになる。
【００２３】
（７）前記構成のイオン発生装置を設けた空調換気装置において、前記イオン発生装置は、マイナスイオンを発生するモード、或いはマイナスイオン及びプラスイオンを発生するモードを有することとした。
【００２４】
この構成によると、室内にマイナスイオンのみを送り出して、リラクゼーションの作用を生み出すことができる。また、室内にマイナスイオンとプラスイオンとを同時に送り出して、室内の浮遊菌や臭い成分を取り囲んで破壊することができる。
【発明の効果】
【００２５】
（１）本発明によると、給気用の第１シロッコファンと排気用の第２シロッコファンとが収められた筒状部が壁に設けられた貫通孔に挿入されるとともに、本体ケースのみが室内に取り付けられるので、空調換気装置の小型化を図ることができる。そして、筒状部内に、給気用及び排気用として、筒状部の径方向に厚みの薄い第１及び第２シロッコファンが併設されるので、筒状部の小型化を図ることができ、ひいては空調換気装置を一層コンパクトにすることが可能である。また、第１及び第２シロッコファンを、それらの吸込み側が筒状部の外周側を向くように配置したので、筒状部内の狭い空間に２個のファンを配置できるとともに、空気が流通するスペースも確保することができる。これにより、空間利用効率が向上して筒状部の小型化が高められる。さらに、筒状部内に、第１及び第２シロッコファンを駆動する第１及び第２駆動モータを設けたので、給排気に係る多様な制御を行うことが可能である。
【００２６】
（２）また本発明によると、第１シロッコファン及び第１駆動モータを筒状部内の室外側に、第２シロッコファン及び第２駆動モータを筒状部内の室内側に設けたので、新鮮な空気を室内に送り込み易くなるとともに、換気が必要な空気を室外に排出し易くなり、換気効率が向上する。
【００２７】
（３）また本発明によると、仕切り板の両面にそれぞれ第１シロッコファン及び第１駆動モータと第２シロッコファン及び第２駆動モータとを取り付けた送風部は、仕切り板とともに移動可能であるので、筒状部に対して容易に出し入れすることが可能である。これにより、空調換気装置のメンテナンス性が向上する。
【００２８】
（４）また本発明によると、仕切り板を案内する案内溝を筒状部の内壁に設けたので、送風部を案内溝に沿って容易に移動させることができる。また、仕切り板が案内溝に嵌合することにより、送風部が筒状部の周方向に対して位置決めされるので、熱交換部に対して給気通風路及び排気通風路が周方向にずれてしまうことがない。したがって、空調換気装置内に、給気通風路及び排気通風路を確実に設けることが可能となる。
【００２９】
（５）また本発明によると、イオン発生装置により発生したイオンが、熱交換された室外の空気とともに室内に送り出されるので、室内全体にイオンを行き渡らせることができ、快適な居住空間を迅速に得ることが可能となる。
【００３０】
（６）また本発明によると、イオン発生装置を本体ケースに取り付けたので、熱交換部や送風部を出し入れする時に、これらがイオン発生装置に衝突することがない。したがって、イオン発生装置の破損を防止することが可能となる。
【００３１】
（７）また本発明によると、イオン発生装置は、室内にマイナスイオンを送り出したり、或いはマイナスイオン及びプラスイオンを送り出したりするので、リラクゼーション効果や殺菌効果、臭い除去により、居住空間の快適さをさらに向上させることが可能となる。
【発明を実施するための最良の形態】
【００３２】
以下、本発明の実施形態を図１〜図９に基づき説明する。
【００３３】
最初に、本発明の実施形態に係る空調換気装置について、図１〜図３を用いてその構造の概略を説明する。図１は空調換気装置の垂直断面側面図、図２は空調換気装置の水平断面上面図である。図３は空調換気装置の筒状部の背面図である。なお、図１及び図２において、左方が室内側、右方が室外側である。また、図３では、本体ケースの描画を省略している。
【００３４】
図１及び図２に示すように、空調換気装置１は、室内の壁面に取り付けられた本体ケース２と、この本体ケース２から後方に延びて壁Ｗの室内側と室外側とを貫通する貫通孔Ｈに挿入された筒状部３とを備えている。本体ケース２と筒状部３とは、一体として構成されている。
【００３５】
本体ケース２は、室内側正面が開口した箱で構成され、その正面には室内カバー４が嵌合されて取り付けられている。室内の壁面に密着する、本体ケース２の背面中央部には、筒状部３と同径の円形の孔が設けられ、ここから室外側に筒状部３が続いている。筒状部３は、断面円形の筒状をなし、その室外側の端部には円形の室外カバー５が嵌合されて取り付けられている。
【００３６】
筒状部３の内部には、図３に示すように、筒状部３内を左右に二分して仕切る仕切り板１１が備えられている。室外カバー５の内側には、仕切り板１１と同じ面内に配置された仕切り部５ａが、筒状部３に向かって突出するように設けられている。室外カバー５を筒状部３に取り付けると、室外カバー５の仕切り部５ａと筒状部３の仕切り板１１とが略面一になる。これにより、筒状部３内には、給気通風路６と排気通風路７とが、仕切り板１１を隔てて左右に隣接して設けられる。
【００３７】
給気通風路６には、図２に示すように、第１シロッコファンと第１シロッコファンを駆動する第１駆動モータ（ともに図示せず）とにより構成される第１送風ユニット１２が設けられている。第１送風ユニット１２は、吸込み口１２ａが筒状部３の外周側を向き、吹出し口１２ｂが筒状部３の軸線方向室内側を向くように仕切り板１１に取り付けられている。また、第１送風ユニット１２は、筒状部３内の室外側に設けられている。第１送風ユニット１２の吹出し口１２ｂ側には、ラッパ形状のオリフィス６ａが仕切り板１１と一体にして設けられている。オリフィス６ａは、第１送風ユニット１２から室内側に送り出される空気が第１送風ユニット１２に戻って吸引されることによる送風効率低下を防止するとともに、室内側に送り出される空気の剥離を防ぎ送風性能を向上させる。このような構成の給気通風路６において、第１送風ユニット１２を駆動させると、図２において矢印Ａに示すような室外から室内へと向かう気流が発生する。
【００３８】
排気通風路７には、図２に示すように、第２シロッコファンと第２シロッコファンを駆動する第２駆動モータ（ともに図示せず）とにより構成される第２送風ユニット１３が設けられている。第２送風ユニット１３は、吸込み口１３ａが筒状部３の外周側を向き、吹出し口１３ｂが筒状部３の軸線方向室外側を向くように仕切り板１１に取り付けられている。また、第２送風ユニット１３は、筒状部３内の室内側に設けられている。第２送風ユニット１３の吹出し口１３ｂ側には、ラッパ形状のオリフィス７ａが仕切り板１１と一体にして設けられている。オリフィス７ａは、第２送風ユニット１３から室外側に送り出される空気が第２送風ユニット１３に戻って吸引されることによる送風効率低下を防止するとともに、室外側に送り出される空気の剥離を防ぎ送風性能を向上させる。このような構成の排気通風路７において、第２送風ユニット１３を駆動させると、図２において矢印Ｂに示すような室内から室外へと向かう気流が発生する。
【００３９】
上記のように、仕切り板１１の両面にそれぞれ第１送風ユニット１２及び第２送風ユニット１３を取り付けることにより、これらが一体となった送風部１０が構成される。送風部１０は、室内カバー４と後述する熱交換器２１とを取り外すことにより、筒状部３に対して室内側から出し入れできるようになっている。
【００４０】
送風部１０のすぐ室内側であって、本体ケース２の内部には、熱交換部２０が備えられている。熱交換部２０には、給気通風路６を流通する空気を室内へと導く空気通路と、室内の空気を排気通風路７へと導く空気通路（ともに図示せず）とが形成された熱交換器２１が取り付けられている。給気通風路６を流通する空気は、室外側流入口２１ａから熱交換器２１に流入し、室内側流出口２１ｂから室内に放出される。室内の空気は、室内側流入口２１ｃから熱交換器２１に流入し、室外側流出口２１ｄから排気通風路７へと導かれる。この熱交換器２１により、給気通風路６を流通する空気と排気通風路７を流通する空気との間で熱交換される。熱交換器２１は、室内カバー４を取り外すことにより室内側から取り出すことができる。
【００４１】
続いて、空調換気装置１の詳細な構造について、図４〜図９を用いて説明する。図４は仕切り板と筒状部との嵌合箇所を示す部分拡大正面図である。図５は熱交換器が収められた本体ケースの正面図である。図６はイオン発生装置の斜視図である。図７は室内カバーの正面図、図８は室内カバーの側面図である。図９は室外カバーの垂直断面正面図である。
【００４２】
図４に示すように、筒状部３の内壁には、筒状部３内を左右に二分する仕切り板１１に対応する箇所に、案内溝３０が設けられている。案内溝３０は、筒状部３の内壁に設けられ、筒状部３の軸線方向に延びる２本の突条３１、３２の間に形設されている。２本の突条３１、３２は、仕切り板１１を受け入れる間隔で並べて設けられている。一方の突条３２の近傍には、もう１本の突条３３が筒状部３の内壁に設けられている。これら２本の突条３２、３３の間には、収納溝３４が形設されている。この収納溝３４には、第１送風ユニット１２及び第２送風ユニット１３の電気配線１４が収納されている。
【００４３】
図４に示す案内溝３０は、筒状部３の内壁の上下に１箇所ずつ設けられている。これらに仕切り板１１の上下の端部が嵌合する。このようにして、仕切り板１１が案内溝３０に案内されることにより、送風部１０を前後にスライド移動させることができる。
【００４４】
図５に示すように、室内カバー４を取り外した本体ケース２には、熱交換部２０の熱交換器２１が収められている。この本体ケース２内において、熱交換器２１の室内側流出口２１ｂ近傍には、イオン発生装置４０が取り付けられている。イオン発生装置４０は、空調換気装置１に対して出し入れされる熱交換部２０や送風部１０とは独立して本体ケース２に取り付けられている。
【００４５】
図６に示すイオン発生装置４０は、電極４１を備えている。電極４１に高圧の交流電圧が印加されると、プラズマ放電により空気中の水素分子が電離して水素イオン（Ｈ+）が生成される。溶媒和エネルギーにより空気中の水分子が水素イオンとクラスタリングして正イオンＨ+(Ｈ2Ｏ)mが形成されている。また、プラズマ放電により空気中の酸素分子または水分子が電離して酸素イオン（Ｏ2-）が生成される。溶媒和エネルギーにより空気中の水分子が酸素イオンとクラスタリングして負イオンＯ2-(Ｈ2Ｏ)nが形成されている。熱交換器２１の室内側流出口２１ｂから流出する空気は、イオン発生装置４０の方向に導かれる。これにより、室内に放出される空気にイオンを含ませることができる。
【００４６】
なお、イオン発生装置４０は、マイナスイオンを発生するモードと、プラスイオン及びマイナスイオンを発生するモードとを有し、ユーザにより選択できるようになっている。
【００４７】
居住空間に送り出された正負イオンは空気中に浮遊している浮遊細菌を取り囲む。正負のイオンは、浮遊細菌の表面で式（１）〜（３）に示すように化学反応して活性種である過酸化水素（Ｈ2Ｏ2）または水酸基ラジカル（・ＯＨ）を生成する。ここで、式（１）〜（３）において、ｍ、ｍ’、ｎ、ｎ’は整数である。これにより、活性種の分解作用によって浮遊細菌が破壊して殺菌される。
【００４８】
Ｈ+(Ｈ2Ｏ)ｍ＋Ｏ2−(Ｈ2Ｏ)ｎ→・ＯＨ＋1/2Ｏ2＋(m＋n)Ｈ2Ｏ    ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(m＋m'＋n＋n')Ｈ2Ｏ  ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(m＋m'＋n＋n')Ｈ2Ｏ  ・・・（３）
【００４９】
図７及び図８に示すように、室内カバー４は、背面が開口した箱で構成され、図５に示す本体カバー２に室内側から嵌合する。正面から見た室内カバー４の中央部には遮蔽部４ａが、左右の端部には流出口４ｂ及び流入口４ｃが設けられている。流出口４ｂ及び流入口４ｃは、室内カバー４の側面まで延びて形成されている。これにより、熱交換器２１の室内側流出口２１ｂから流出する空気は、流出口４ｂから小さい圧力損失で室内に放出される。同様に、室内から流入口４ｃに流入する空気は、小さい圧力損失で熱交換器２１の室内側流入口２１ｃに流入する。
【００５０】
また、遮蔽部４ａにより、給気と排気のショートサーキットを低減することができる。遮蔽部４ａの幅を熱交換器２１の幅の１／２以上にするとショートサーキットを殆ど防止することができる。なお、室内カバー４の背面側に熱交換器２１の室内側流出口２１ｂと室内側流入口２１ｃとを仕切る隔壁を設けるとより望ましい。そして、熱交換器２１の先端が室内カバー４の背面に緩衝材等を介して当接するように配置してもよい。
【００５１】
図９に示すように、室外カバー５は、正面が開口した断面円形の箱で構成され、筒状部３に室外側から嵌合する（図１及び図２参照）。室外カバー５の曲面部の後部下方には、給気口５ｂ及び排気口５ｃの２個の開口が左右に分かれて形成されている。これにより、雨の侵入を防止することができる。また、給気口５ｂと排気口５ｃとの間には仕切り部５ａが形成され、給気と排気のショートサーキットを低減することができる。
【００５２】
図１及び図２に示す上記構成の空調換気装置１の運転を開始すると、送風部１０の、第１、第２駆動モータにより第１、第２シロッコファンが回転し、第１送風ユニット１２及び第２送風ユニット１３が駆動される。
【００５３】
第１送風ユニット１２の駆動により、室外の空気は、室外カバー５の給気口５ｂから給気通風路６に取り込まれる。給気通風路６を流通する空気は、第１送風ユニット１２の吸込み口１２ａから吸い込まれ、吹出し口１２ｂから送り出されて、室外側流入口２１ａから熱交換器２１に流入する。第２送風ユニット１３の駆動により、室内の空気は、室内カバー４の流入口４ｃを通り、室内側流入口２１ｃから熱交換器２１に流入する。そして、熱交換器２１内では、室内から流入した空気と室外から流入した空気との間で、熱及び湿度が全熱交換される。
【００５４】
給気通風路６を流通して熱交換器２１に流入した室外の空気は、熱交換後、室内側流出口２１ｂから流出し、イオン発生装置４０で発生したイオンを含んで室内カバー４の流出口４ｂから室内に放出される。室内から熱交換器２１に流入した空気は、熱交換後、室外側流出口２１ｄから流出して排気通風路７に送り込まれる。排気通風路７を流通する空気は、第２送風ユニット１３の吸込み口１３ａから吸い込まれ、吹出し口１３ｂから送り出されて、室外カバー５の排気口５ｃから室外に排気される。
【００５５】
このようにして、本実施形態によると、送風部１０が収められた筒状部３が壁Ｗに設けられた貫通孔に挿入されるとともに、本体ケース２のみが室内に取り付けられるので、空調換気装置１の小型化を図ることができる。そして、筒状部３内に、筒状部３の径方向に厚みの薄い第１及び第２シロッコファンが併設されるので、筒状部３の小型化を図ることができ、ひいては空調換気装置１を一層コンパクトにすることが可能である。また、第１及び第２シロッコファンを、それらの吸込み側が筒状部３の外周側を向くように配置したので、筒状部３内の狭い空間に２個のファンを配置できるとともに、空気が流通するスペースも確保することができる。これにより、空間利用効率が向上して筒状部３の小型化が高められる。
【００５６】
また、第１シロッコファン及び第１駆動モータを備えた第１送風ユニット１２を筒状部３内の室外側に、第２シロッコファン及び第２駆動モータを備えた第２送風ユニット１３を筒状部３内の室内側に設けたので、新鮮な空気を室内に送り込み易くなるとともに、換気が必要な空気を室外に排出し易くなり、換気効率が向上する。
【００５７】
そして、仕切り板１１の両面にそれぞれ第１送風ユニット１２と第２送風ユニット１３とを取り付けた送風部１０は、仕切り板１１とともに移動可能であるので、筒状部３に対して容易に出し入れすることが可能である。これにより、空調換気装置１のメンテナンス性が向上する。
【００５８】
また、仕切り板１１を案内する案内溝３０を筒状部３の内壁に設けたので、送風部１０を案内溝３０に沿って容易に移動させることができる。また、仕切り板１１が案内溝３０に嵌合することにより、送風部１０が筒状部３の周方向に対して位置決めされるので、熱交換部２０に対して給気通風路６及び排気通風路７が周方向にずれてしまうことがない。したがって、空調換気装置１内に、給気通風路６及び排気通風路７を確実に設けることが可能となる。
【００５９】
さらに、イオン発生装置４０により発生したイオンが、熱交換された室外の空気とともに室内に送り出されるので、室内全体にイオンを行き渡らせることができ、快適な居住空間を迅速に得ることが可能となる。
【００６０】
そして、イオン発生装置４０を本体ケース２に取り付けたので、熱交換部２０や送風部１０を出し入れする時に、これらがイオン発生装置４０に衝突することがない。したがって、イオン発生装置４０の破損を防止することが可能となる。
【００６１】
また、イオン発生装置４０は、室内にマイナスイオンを送り出したり、或いはマイナスイオン及びプラスイオンを送り出したりするので、リラクゼーション効果や殺菌効果、臭い除去により、居住空間の快適さをさらに向上させることが可能となる。
【００６２】
なお、本実施形態において、筒状部３の断面を円形にしているが断面多角形でもよい。例えば、断面矩形の筒状部内部の対角線上に仕切り板１１を配置すると、給気通風路６及び排気通風路７の断面積を大きく確保することができる。また、筒状部３内に、給気通風路６と排気通風路７とを、仕切り板１１を隔てて左右に隣接して設けているが、上下に並べて設けても構わない。
【００６３】
以上、本発明の各実施形態につき説明したが、本発明の範囲はこれに限定されるものではなく、発明の主旨を逸脱しない範囲で種々の変更を加えて実施することができる。
【産業上の利用可能性】
【００６４】
本発明の空調換気装置は、室内空気浄化のために換気を必要とする高気密の住宅やビル等の建築物や、シックハウスを防止するために常時換気を必要とする建築物に用いることができる。
【図面の簡単な説明】
【００６５】
【図１】本発明の実施形態に係る空調換気装置の垂直断面側面図である。
【図２】図１に示す空調換気装置の水平断面上面図である。
【図３】図１に示す空調換気装置の筒状部の背面図である。
【図４】図１に示す空調換気装置の仕切り板と筒状部との嵌合箇所を示す部分拡大正面図である。
【図５】図１に示す空調換気装置の本体ケースの正面図である。
【図６】図１に示す空調換気装置のイオン発生装置の斜視図である。
【図７】図１に示す空調換気装置の室内カバーの正面図である。
【図８】図１に示す空調換気装置の室内カバーの側面図である。
【図９】図１に示す空調換気装置の室外カバーの垂直断面正面図である。
【符号の説明】
【００６６】
１    空調換気装置
２    本体ケース
３    筒状部
４    室内カバー
５    室外カバー
６    給気通風路
７    排気通風路
１０  本体
１１  仕切り板
１２  第１送風ユニット（第１シロッコファン、第１駆動モータ）
１３  第２送風ユニット（第２シロッコファン、第２駆動モータ）
２０  熱交換部
２１  熱交換器
３０  案内溝
４０  イオン発生装置
【図１】
2006162083.tif 000003
【図２】
2006162083.tif 000004
【図３】
2006162083.tif 000005
【図４】
2006162083.tif 000006
【図５】
2006162083.tif 000007
【図６】
2006162083.tif 000008
【図７】
2006162083.tif 000009
【図８】
2006162083.tif 000010
【図９】
2006162083.tif 000011